(57)【要約】【課題】  消音発泡体が着火してもその火炎が自消するモータ−ファン装置を提供すること。【解決手段】  モータ−ファン装置１０は、回転可能なシャフト２０を有するモータアセンブリ１５と、シャフト２０に連結され、モータアセンブリ１５の少なくとも一部分を通過する空気流れを発生せしめるファンアセンブリ２５とを包含する。そして、自消火炎特性を有する消音スリーブ２００がモータアセンブリ１５のまわりに少なくとも部分的に配置されている。好適には、消音スリーブはＶ−０レーテッドフォーム材料である。ファンアセンブリ２５のディフューザ／ブラケットアセンブリ８０／３５は、その曲線状ベーンに取り付けられている消音発泡体片を有する。【選択図】          図１
2005295788.tif 000002
【特許請求の範囲】
【請求項１】
モータ−ファン装置において、
回転可能なシャフトを有するモータアセンブリと、
前記シャフトに連結され、前記モータアセンブリの少なくとも一部分を通過する空気流れを発生せしめるファンアセンブリと、
前記モータアセンブリのまわりに少なくとも部分的に配置され、自消火炎特性を有している消音スリーブと、
を包含することを特徴とするモータ−ファン装置。
【請求項２】
請求項１記載のモータ−ファン装置において、前記ファンアセンブリが外径を有すると共に、前記消音スリーブが前記ファンアセンブリの外径まわりに位置するスリーブ径を有し、前記消音スリーブが自消火炎特性を有している発泡体材料であることを特徴とするモータ−ファン装置。
【請求項３】
請求項１記載のモータ−ファン装置において、更に、前記消音スリーブに取り付けられているスリーブカバーを包含し、前記消音スリーブがスリーブ開口を形成する末端と反対側のシュラウド端を有し、このシュラウド端が前記ファンアセンブリに取り付けられていると共に、前記スリーブカバーが前記末端に取り付けられ、前記スリーブカバーがこのスリーブカバーを貫通するカバー穴を有すると共に、前記モータアセンブリが前記カバー穴を通して延びていることを特徴とするモータ−ファン装置。
【請求項４】
請求項１記載のモータ−ファン装置において、前記消音スリーブが前記モータアセンブリに接触し、前記消音スリーブが末端と反対側のシュラウド端を有して、このシュラウド端が前記ファンアセンブリに取り付けられ、前記末端がスリーブ開口を形成するように内向きに曲げられ、前記モータアセンブリが前記スリーブ開口を通して延びていると共に、前記末端が前記モータアセンブリに接触していることを特徴とするモータ−ファン装置。
【請求項５】
請求項１記載のモータ−ファン装置において、
前記ファンアセンブリが、前記シャフトに取り付けられているファンと、前記モータアセンブリに連結され、前記シャフトを回転可能に受け入れるディフューザ／ブラケットアセンブリと、このディフューザ／ブラケットアセンブリに取り付けられているファンシュラウドとを包含し、前記ファンの回転が空気を前記ファンシュラウドと通して吸い込んで前記ディフューザ／ブラケットアセンブリの外へ出し、前記ディフューザ／ブラケットアセンブリが、このディフューザ／ブラケットアセンブリに取り付けられてこのディフューザ／ブラケットアセンブリを通して流れる空気の騒音を減少せしめる少なくともひとつの発泡体片を有し、
また、前記ディフューザ／ブラケットアセンブリが、前記モータアセンブリを担持する少なくともひとつのモータブラケットを有するファンエンドブラケットと、このファンエンドブラケットに連結されているディフューザとを包含し、前記ファンエンドブラケットが平らな板を包含し、この平らな板が前記少なくともひとつのモータブラケットに隣接して前記平らな板を貫通するブラケット開口を有し、前記少なくともひとつの発泡体片が前記ブラケット開口に隣接して前記少なくともひとつのモータブラケットに取り付けられていることを特徴とするモータ−ファン装置。
【請求項６】
請求項１記載のモータ−ファン装置において、
前記ファンアセンブリが、前記シャフトに取り付けられているファンと、前記モータアセンブリに連結され、前記シャフトを回転可能に受け入れるディフューザ／ブラケットアセンブリと、このディフューザ／ブラケットアセンブリに取り付けられているファンシュラウドとを包含し、前記ファンの回転が空気を前記ファンシュラウドと通して吸い込んで前記ディフューザ／ブラケットアセンブリの外へ出し、前記ディフューザ／ブラケットアセンブリが、このディフューザ／ブラケットアセンブリに取り付けられてこのディフューザ／ブラケットアセンブリを通して流れる空気の騒音を減少せしめる少なくともひとつの発泡体片を有し、
また、前記ディフューザ／ブラケットアセンブリが、前記モータアセンブリを担持する少なくともひとつのモータブラケットを有するファンエンドブラケットと、このファンエンドブラケットに連結されているディフューザとを包含し、前記ファンエンドブラケットがこのファンエンドブラケットを貫通するモータ開口を有し、前記ディフューザがこのディフューザを貫通する複数の外周開口とこのディフューザの一側部から前記ファンエンドブラケットに向かって延びている複数のブレードとを有し、前記少なくともひとつの発泡体片が騒音を吸収するために前記複数のブレードの少なくともひとつに取り付けられるものであって、前記ブレードが曲線状で凹面を形成し、前記発泡体片が前記凹面に取り付けられていることを特徴とするモータ−ファン装置。
【請求項７】
請求項１記載のモータ−ファン装置において、
前記ファンアセンブリが、前記シャフトに取り付けられているファンと、前記モータアセンブリに連結され、前記シャフトを回転可能に受け入れるディフューザ／ブラケットアセンブリと、このディフューザ／ブラケットアセンブリに取り付けられているファンシュラウドとを包含し、前記ファンの回転が空気を前記ファンシュラウドと通して吸い込んで前記ディフューザ／ブラケットアセンブリの外へ出し、前記ディフューザ／ブラケットアセンブリが、このディフューザ／ブラケットアセンブリに取り付けられてこのディフューザ／ブラケットアセンブリを通して流れる空気の騒音を減少せしめる少なくともひとつの発泡体片を有し、
また、前記ディフューザ／ブラケットアセンブリが、前記モータアセンブリを担持する少なくともひとつのモータブラケットを有するファンエンドブラケットと、このファンエンドブラケットに連結されているディフューザとを包含し、前記ファンエンドブラケットがこのファンエンドブラケットを貫通するモータ開口を有し、前記ディフューザがこのディフューザの一側部から前記ファンエンドブラケットに向かって延びている複数の通路を有し、前記少なくともひとつの発泡体片が前記複数の通路の少なくともひとつに取り付けられて騒音を吸収するようにしたことを特徴とするモータ−ファン装置。
【請求項８】
モータファン装置において、回転可能なシャフトを有するモータアセンブリと、このモータアセンブリに連結されているファンアセンブリと、前記モータアセンブリを担持するファンエンドブラケットとを包含し、前記ファンアセンブリが前記シャフトに取り付けられているファンを包含し、前記ファンエンドブラケットがこのファンエンドブラケットを貫通するブラケット開口とこのファンエンドブラケットに連結されているディフューザとを包含し、前記ディフューザがこのディフューザを貫通する外周開口を有し、前記ファンの回転が前記ブラケット開口及び前記外周開口を通過する空気流れを発生せしめ、前記ファンエンドブラケットが少なくともひとつの発泡体片を担持して前記ファンにより発生した騒音を吸収するようにしたことを特徴とするモータ−ファン装置。
【請求項９】
請求項８記載のモータ−ファン装置において、更に、前記モータアセンブリのまわりに少なくとも部分的に配置されている消音スリーブを包含し、前記ファンエンドブラケットが前記モータアセンブリを担持する少なくともひとつのモータブラケットを有する共に、前記ブラケット開口が前記少なくともひとつモータブラケットに隣接し、前記少なくともひとつのモータブラケットがこのモータブラケットに取り付けられている消音発泡体を有し、また前記ディフューザが空気流れを前記ファンから前記モータアセンブリに向かわせる複数の曲線状ブレードを有し、これらの曲線状ブレードがこれらの曲線状ブレードに取り付けられている消音発泡体を有していることを特徴とするモータ−ファン装置。
【請求項１０】
請求項８記載のモータ−ファン装置において、更に、前記モータアセンブリのまわりに少なくとも部分的に配置されている消音スリーブを包含し、この消音スリーブ及び前記少なくともひとつの発泡体片が自消火炎特性を有していることを特徴とするモータ−ファン装置。
【請求項１１】
請求項８記載のモータ−ファン装置において、更に、前記ファンアセンブリのまわりに配置されている消音スリーブを包含し、前記ファンアセンブリが複数の排気ポートを有するファンシュラウドを包含すると共に、消音スリーブが前記排気ポートにきわめて接近して配置されていることを特徴とするモータ−ファン装置。
【請求項１２】
請求項８記載のモータ−ファン装置において、更に、ラビリンス流路を形成する少なくともひとつの内部フランジを有する消音スリーブを包含し、前記ファンアセンブリが接線排気ポートを有するファンシュラウドを包含すると共に、前記消音スリーブが前記接線排気ポートに取り付けられていることを特徴とするモータ−ファン装置。
【発明の詳細な説明】
【技術分野】
【０００１】
本発明は、一般には、モータ（電動機）又は発電機に関する。特に、本発明は、モータ−ファン装置、より詳細には、モータ−ファン装置による発生した騒音を吸収するためにその可動部品に接近する又は可動部品を囲繞する、熱安定の吸音発泡体を用いるモータ−ファン装置に関する。
【背景技術】
【０００２】
モータ及び発電機は、当分野ではよく知られており、いろいろな適用において使用するために設置されている。そのひとつの適用は、空気の処理である。このような場合において、モータは必要に応じて空気の流れ又は真空を作るためにファンに連結されている。しばしば、ファンは冷却空気をモータに供給するために用いられている。このような場合において、モータにより駆動されるシャフトに取り付けられているファンは、空気をファンシュラウド内に吸い込んで、空気を圧縮又は加圧せしめる。そして、加圧された空気は、空気をモータ巻線を横切るようにさし向けるひとつ又はそれ以上のポートを通してモータハウジング内に放出させ、熱を空気流れ中に引き入れてモータハウジングから排出せしめる。選択的に、ファンシュラウドは排気ポートを有することができ、これにより空気流れはモータ巻線をバイパスする。
【０００３】
公知のモータアセンブリは、騒音を発生する傾向を有する。ファンは典型的に鋭い縁を有するベーンを包含する。空気流れがこれらの縁及び他の案内表面への移行部を越えて発生させられると、騒音が発生させられる。騒音は、それ自体好ましくないことに加え、空気流れに非効率を導き、これによりモータ性能を減少せしめる。
【０００４】
モータを包含する種々の装置により発生した騒音を消す目的のために発泡体（フォーム）を用いることが知られているが、このような発泡体は発泡体が熱退化するのを防止するために常に熱発生要素と間隔を置いた関係で配置されている。これは、発泡体の位置決めの困難を作り、装置に追加の支持構体を設ける構成を要求する。モータの消音特性のために発泡体を使用することは、また、発泡体が着火すると燃え続いて、モータ及び関連する部分を不作動によるという問題がある。モータの温度が発泡体の着火温度に達しないことを確実にするためには、高価な電流及び／又は温度センサをアセンブリに取り付けることが要求される。このようなセンサが過剰な熱又は電流を検知するや否や、モータは運転を停止され、発泡体の着火を防止する。したがって、当分野においては、これらの問題をこうむることがない低騒音発生のモータ−ファン装置が必要とされている。
【発明の開示】
【発明が解決しようとする課題】
【０００５】
本発明は、消音発泡体が着火してもその火炎が自消して燃え続けることがないモータ−ファン装置を提供することを目的とする。
【課題を解決するための手段】
【０００６】
本発明の一態様によれば、モータ−ファン装置において、回転可能なシャフトを有するモータアセンブリと、前記回転可能なシャフトに連結され、このシャフトと一緒に回転して前記モータアセンブリの少なくとも一部分を通過する空気流れを発生せしめるファンアセンブリと、前記モータアセンブリのまわりに少なくとも部分的に配置されている消音スリーブとを包含することを特徴とするモータ−ファン装置が提供される。
【０００７】
また、本発明の他の態様によれば、モータ−ファン装置において、回転可能なシャフトを有するモータアセンブリと、このモータアセンブリに連結されているファンアセンブリと、前記モータアセンブリを担持するファンエンドブラケットとを包含し、前記ファンアセンブリが前記シャフトに取り付けられているファンを包含し、前記ファンエンドブラケットがこのファンエンドブラケットを貫通するブラケット開口とこのファンエンドブラケットに連結されているディフューザとを包含し、前記ディフューザがこのディフューザを貫通する外周開口を有し、前記ファンの回転が前記ブラケット開口及び前記外周開口を通過する空気流れを発生せしめ、前記ファンエンドブラケットが少なくともひとつの発泡体片を担持して前記ファンにより発生した騒音を吸収するようにしたことを特徴とするモータファン装置が提供される。
【０００８】
本発明の目的、技術及び構成を完全に理解するために、下記の詳細な説明及び添付図面が参照される。
【発明を実施するための最良の形態】
【０００９】
図１は、符号１０により総括的に示されているモータ−ファン装置を示し、このモータ−ファン装置は一般にモータアセンブリ１５とファンアセンブリ２５とを包含する。モータアセンブリ１５はモータ１６を包含し、このモータは電機子又は巻線１７と、整流子１８と、電源から整流子１８及び巻線１７への電気接続を作るブラシ（図示せず）とを備えている。そして、シャフト２０は、適当な軸受により支持されて、自由に回転可能であると共に整流子１８に接続され、整流子１８と一緒に回転する。
【００１０】
図１に示されているように、モータアセンブリ１５は整流子１８がファンアセンブリ２５に非常に接近するような構成をされている。モータ−ファン装置１０のファンアセンブリ２５はファン２６を包含し、このファンはシャフト２０の一端２７にナットにより連結され、シャフト２０と一緒に回転する。ファンアセンブリ２５は、更に、ファン２６を取り囲むシュラウド３０を包含する。当分野において知られているように、シュラウド３０には軸方向穴が設けられ、この軸方向穴を通して外部空気がファン２６により吸い込まれる。図１に示される実施例においては、シュラウド３０はそのカバー部分３２に形成されて中央に位置しかつシャフト２０の軸線Ａと同軸に位置している入口ポート３１を包含する。空気は、ファン２６により吸い込まれ、ディフューザ８０（後で詳細に説明する）により受け入れられ、このディフューザは空気を最終使用による必要にしたがって分配する。モータ−ファン装置１０の構成部品の一層詳細な開示は米国特許第６，７０３，７５４号明細書になされており、この米国特許の内容は本明細書に参照として組み入れられており、本発明はこのようなモータ−ファン装置１０の一層特別の要素への進歩に焦点をあわせているものである。
【００１１】
図１及び図２を参照するに、モータアセンブリ１５には符号３５により総括的に示されているファンエンドブラケット又はブラケットアセンブリが設けられている。ファンエンドブラケット３５は、一般には、平らな板部分３６（図示されるように、環状とすることができる）と、この板部分３６からモータ１６に向かって延びているモータブラケット部分３７に隣接するブラケット開口７５とを包含する。モータブラケット部分３７は、モータアセンブリ１５を支持するようにしている。また、本発明において、モータブラケット部分３７は、その内面に発泡体Ｆを前記ブラケット開口７５に隣接して設けることにより、モータ−ファン装置１０により発生した騒音を減少せしめるようにしている。発泡体Ｆは、空気を通過するファンベーンの移動により発生した波を吸収することにより及び発生した空気流れが一方の方向から他方の方向へ流れるのをゆるめることにより、振動ノイズを減少せしめる。換言すれば、空気がファンベ−ンにより動かされると、空気は板部分３６により開口７５を通してブラケット部分３７へと送られる。そして、このブラケット部分３７に接着又は他の方法により取り付けられている発泡体Ｆが、吸音空気流れ移行表面を提供することにより、空気流れにより発生した騒音を吸収して騒音の更なる発生を防止する。
【００１２】
発泡体Ｆは、好適には、Ｖ−０レーテッドフォーム（Ｖ−０  ｒａｔｅｄ  ｆｏｒｍ）である。このフォームは、ＵＬ９４規格にしたがって決められている特性を有することを特徴とする。すなわち、このフォームは、耐熱性があり、かつ自消火炎特性を有する。自消火炎特性とは、発泡体が燃えるのに十分な熱に出会ったときに、初期の火炎が着火源の除去により発泡体の燃焼を連続せしめることができなくなることを意味する。典型的な発泡体は、少なくとも４００℃よりも大きい引火点と少なくとも５８０℃よりも大きい自動着火温度とを有する。特に好適な発泡体はメラミンフォームであり、特に好適な実施例では、ポリダンプ（Ｐｏｌｙｄａｍｐ：登録商標）メラミンフォーム（ＰＭＦ；ポリマー  テクノロジーズ，インコーポレイテッド(Ｐｏｌｙｍｅｒ  Ｔｅｃｈｎｏｌｏｇｉｅｓ，Ｉｎｃ．)）が使用される。ＰＭＧは、優れた耐熱性及び低い可燃レベルを有する。ＰＭＦは、着火しても滴下することができず、着火源の除去により燃焼を停止する。実際に、このような発泡体の使用はモータを制限温度に維持するために高価な温度又は電流センサを使用する必要を取り除く。モータを制限温度に維持できないときには、発泡体は着火するであろう。
【００１３】
モータ−ファン装置１０は、本発明において、更に、図１に示されるように、消音スリーブ２００の設置から利益を受けており、この消音スリーブは前記モータアセンブリ１５の少なくとも一部分のまわりに少なくとも部分的に、好適には完全に設置される。このスリーブ２００は、Ｖ−０レーテッドフォーム、好適にはメラミンフォームから作られる。スリーブ２００は、モータ１６の大部分を囲繞し、モータアセンブリ１５及びファンアセンブリ２５により発生した騒音を吸収し消す。実際に、セルラー構造はファンアセンブリにより発生した騒音周波数を放散するのを助け、また発泡体は騒音周波数をラビリンスの方法でそらし、その結果空気流れがモータアセンブリを出るまでは関連する騒音周波数が著しく低減されるものである。スリーブ２００は、そのシュラウド端２０４でファンアセンブリ２５に取り付けられている。スリーブカバー２０２は、シュラウド端２０４と反対側の末端２０６で消音スリーブ２００にかぶせることができる。スリーブカバー２０２はカバー穴２０８を包含することができ、図示の実施例では、モータアセンブリの一部分がカバー穴２０８を通して延びることができる。もし所望するならば、スリーブはスリーブ２００’により示されるようにモータアセンブリの延在長さよりも長い寸法とすることができる。スリーブは、ファスナー、クリップ、接着剤、摩擦はめ込み、又はスリーブをモータ−ファン装置１０に非常に接近して保持することができる他の任意の寸法により取り付けることができる。特別の要素であるカバー２０２の使用をやめて、スリーブ２００の末端２０６は、スリーブの開口を形成するように内向きに曲げることができる。したがって、カバー２０２の使用は任意であることは認識されよう。Ｖ−０レーティング（Ｖ−０ｒａｔｉｎｇ）は発泡体がモータ１６の作動により発生した熱により損傷されないことを保証する。好適には、スリーブ２００は図示されるようにシュラウド３０の外径よりも大きくない直径を有する大きさとされ、またスリーブカバー２０２又は前述したスリーブ開口はモータアセンブリ１５に非常に接近又は接触することが好適である。また、スリーブ２００’により明らかにされているように、モータアセンブリに接触又は非常に接近して位置するＶ−０レーテッドフォームを使用することにより、モータ−ファン装置の作動効率をなおも維持しながら、最良の減音特性を提供することが分かるであろう。
【００１４】
このフォームスリーブの概念は、また、スルーフロー形モータ−ファン装置及び接線バイパス型モータ−ファン装置にも適用できる。図５において、バイパス型モータ−ファン装置３００はそのファンアセンブリ３０３のシュラウド３０２を有し、このシュラウドはＶ−０レーテッドフォームで作られている消音スリーブ３０４で覆われている。スリーブカバー３０６は符号３０８で示すところで開口している。また、スリーブカバー３０６は好適にはシュラウド３０２に符号３１０で示すところまで当接している。シュラウド３０２は、ファンアセンブリ３０３内のファンにより発生した空気流れを排出する複数の外周排気ポート３１１を有する。前述したように、任意の従来の手段がスリーブをモータ−ファン装置に取り付けるために用いることができる。スリーブ３０４の側壁３１２は、好適には、シュラウド３０２から小さい距離間隔を置いている。しかしながら、側壁３１２はシュラウド３０２に接触することができるものである。
【００１５】
図６において、接線バイパス型モータ−ファン装置４００はファンアセンブリ４０３から延びている接線排気ポート４０２を有し、この接線排気ポートはＶ−０レーテッドフォームで作られている消音スリーブ４０４で覆われている。スリーブ４０４は、スリーブカバーを備えていなくて、端４０６で開口している。側壁４１２は、好適には、図示されるように、排気ポート４０２の外面に当接する。スリーブの内面からは複数の内部フランジ４０８が延びることができ、これらの内部フランジはラビリンス流路４１０を形成する。流路４１０は空気流れを再び方向づけし、フランジ４０８はモータ−ファン装置４００により発生した騒音を有効に吸収し消す。
【００１６】
追加の利益は、モータ−ファン装置１０の他の要素、特に図３及ぶ図４を参照して後述されるディフューザアセンブリにＶ−０レーテッドフォームを用いることにより実現される。ディフューザ８０（図１）は、ファン２６により発生した空気流れを分配するようにファンエンドブラケット３５と相互作用し、この組合体はディフューザ／ブラケットアセンブリと称される。このディフューザ／ブラケットアセンブリ（８０／３５）は、モータアセンブリ１５に連結され、シャフト２０を回転可能に受け入れる。ラジアル型ディフューザアセンブリは、図３に示されて、符号８０Ａにより総括的に示されている。また、ポート型ディフューザアセンブリは図４に示されて、符号８０Ｂにより総括的に示されている。これらの両方のディフューザアセンブリは、ファンエンドアセンブリ３５と相互作用する。ファン２６は、ファンシュラウド３０を通して空気を吸い込み、空気ディフューザ／ブラケットアセンブリの外へ空気流れを押し出す。ファンアセンブリ２５からの空気は、これらのディフューザアセンブリ８０Ａ，８０Ｂにより分配される。一般的な参照のために、ディフューザはラジアル型又はポート型どちらでもよい場合には符号８０により示されている。そして、これらのラジアル型及びポート型のディフューザアセンブリの特別の構成要素の符号には、Ａ又はＢを接尾辞として付けている。
【００１７】
ラジアル型ディフューザ（図３）は平らなベース部材８１を包含し、このベース部材は穴８２を画成するように環状に作ることができる。複数の外周ブレード８６Ａは、ファン２６を囲繞し、空気をファン側８５から外向きに案内する働きをする。空気の一部分は、シュラウド３０に設けられている複数のポート３４（図１）を通してシュラウド３０の外側へ向けられる。ラジアル型ディフューザ８０Ａのモータ側８４に形成されている第２の組のブレード８７Ａは、空気の残りの部分をディフューザ８０Ａの中心部に向かって半径方向内向きに導く。これらのブレード８７Ａは、特別の適用による要求にしたがって、任意のパターンの形状とすることができ、これらのパターンには図示するようなスパイラル又はピンホイールパターンが含まれている。ラジアル型ディフューザ８０Ａと対比して、ポート型ディフューザ８０Ｂは、ファン側１０５の外周ブレード８６Ｂと、平らな部分１０４から延びている囲い通路８７Ｂとを有する。これらの囲い通路８７Ｂは、ラジアル型ディフューザ８０Ａのブレード８６Ａ，８７Ａと同じようなパターンに形成されて、上述したような空気の出入れを導く。ポート型ディフューザ８０Ｂのためのシュラウドは、完全に囲まれている。
【００１８】
ポート型又はラジアル型のディフューザアセンブリ８０には一対のブラシキャップアセンブリ９５が設けられ、これらのブラシキャップ９５は図２に示されているブラシリテーナ１２０に接触する。図示の実施例において、ディフューザ８０Ａ，８０Ｂ内には、通路９３がモータ側（ディフューザ８０Ａのモータ側８４及びディフューザ８０Ｂのモータ側１０５）に形成されている一対の直立するブラシキャップ部材９６，９７間に形成されている。これらの部材９６，９７は、一般に、中央開口８２に隣接して配置され、この開口８２内に所定範囲半径方向に突出することができる。ポート型ディフューザのブラシキャップアセンブリ９５は、これらのブラシキャップアセンブリがラジアル型ディフューザ８０Ａのブレード８７Ａと対立する通路８７Ｂにより囲繞されていることが特徴となっている。
【００１９】
本発明において、ディフューザ８０は所定の要素にＶ−０レーテッドフォームＦを包含するように考えられている。特に、Ｖ−０レーテッドフォームＦは、モータ−ファン装置１０が作動されたときに空気流れが衝突する表面に設けられる。より詳細には、Ｖ−０レーテッドフォームＦは、ブレード８７Ａ（ラジアル型ディフューザ）又は囲い通路８７Ｂ（ポート型ディフューザ）に設けられる。これらのスパイラル／ピンホイールパターン形状の要素は、空気流れを有効に再び方向づけし、それ故一般にモータ−ファン装置１０により発生する騒音の大きな一因となっているものである。特に、ディフューザ８０の回転方向へ曲がっているブレード８７Ａ及び囲い通路８７Ｂの表面がＶ−０レーテッドフォームＦで覆われる。
【００２０】
以上述べた説明から、新規で有益なモータ−ファン装置が特許法にしたがって開示されたことを理解されよう。また、種々の変形及び代替が本発明の精神を逸脱することなしに上述した本発明に行うことができ、本発明の範囲を認識するためには、特許請求の範囲を参照すべきであることを理解されよう。
【図面の簡単な説明】
【００２１】
【図１】本発明によるモータ−ファン装置の一部断面正面図であって、その詳細を示す。
【図２】本発明による端板の平面図であって、ファンエンドアセンブリのディフューザ側を詳細に示す。
【図３】本発明によるラジアル型ディフューザの斜視図である。
【図４】本発明によるポート型ディフューザの斜視図である。
【図５】本発明による外周バイパス型モータ−ファン装置の一部断面平面図である。
【図６】本発明による接線バイパス型モータ−ファン装置の一部断面平面図である。
【符号の説明】
【００２２】
１０  モータファン装置
１５  モータアセンブリ
１６  モータ
１７  巻線
１８  整流子
２０  シャフト
２５  ファンアセンブリ
２６  ファン
２７  シャフトの一端
３０  シュラウド
３１  入口ポート
３２  カバー部分
３５  ファンエンドブラケット
３６  平らな板部分
３７  モータブラケット部分
７５  ブラケット開口
８０Ａ  ラジアル型ディフューザアセンブリ
８０Ｂ  ポート型ディフューザアセンブリ
８１  ベース部材
８２  中央開口
８４  モータ側
８５  ファン側
８６Ａ，８７Ａ  ブレード
８６Ｂ，８７Ｂ  通路
９３  通路
９５  ブラシキャップアセンブリ
９６，９７  直立部材
１２０  ブラシリテーナ
２００，２００’  消音スリーブ
２０２  スリーブカバー
２０４  シュラウド端
２０６  末端
２０８  カバー穴
３００  外周バイパス型モータ−ファン装置
３０２  シュラウド
３０３  ファンアセンブリ
３０４  消音スリーブ
３０６  スリーブカバー
３０８  開口部分
３１０  当接部分
３１１  外周排気ポート
３１２  側壁
４００  接線バイパス型モータ−ファン装置
４０２  接線排気ポート
４０３  ファンアセンブリ
４０４  消音スリーブ
４０６  開口端
４０８  内部フランジ
４１０  ラビリンス流路
【図１】
2005295788.tif 000003
【図２】
2005295788.tif 000004
【図３】
2005295788.tif 000005
【図４】
2005295788.tif 000006
【図５】
2005295788.tif 000007
【図６】
2005295788.tif 000008